(57)【要約】【課題】照明機能付きのメンブレンスイッチの構造を簡易なものとし、接点の影ができないようにする。【解決手段】ドーム形状とすることで、裏面シート１４から離れているスイッチ部２２を有する表面シート１２の裏面側に、接点２６を設ける。裏面シート１４には、２本の配線２０が設けられ、スイッチ部２２を押圧することで、配線２０と接点２６が接触し、２本の配線２０が導通する。表面シート１２には、「ＯＦＦ」の形状を有する透光性を有する記号部分２４が形成されており、裏面側からの光でこの記号部分２４が照明されて表示される。接点２６は、記号部分２４と重ならないように配置され、裏面からの光を遮らない。【選択図】図１
2006173039.tif 000002
【特許請求の範囲】
【請求項１】
基部と、
一部が前記基部より離れて位置するスイッチ部を形成するように、前記基部に貼り合わせられた可撓性のあるシートと、
前記スイッチ部の前記基部に対向する面に配置された第１接点と、
前記基部上の、前記スイッチ部に対向する位置に配置された第２接点と、
を有し、前記スイッチ部を押圧してシートを変形させ、第１接点と第２接点を接触させて導通させるメンブレンスイッチにおいて、
前記基部の、前記スイッチ部に対向する位置には、発光部が設けられ、
前記スイッチ部には、所定の記号または文字の形状の透光性のある部分が設けられ、前記発光部からの光を透過して、所定の記号または文字を表し、
前記第１接点は、前記所定の記号または文字と重ならないように配置された、
メンブレンスイッチ。
【請求項２】
基部と、
一部が前記基部より離れて位置するスイッチ部を形成するように、前記基部に貼り合わせられた可撓性のあるシートと、
前記スイッチ部の前記基部に対向する面に配置された第１接点と、
前記基部上の、前記スイッチ部に対向する位置に配置された第２接点と、
を有し、前記スイッチ部を押圧してシートを変形させ、第１接点と第２接点を接触させて導通させるメンブレンスイッチにおいて、
前記基部の、前記スイッチ部に対向する位置には、発光部が設けられ、
前記スイッチ部は透光性を有し、
さらに、前記スイッチ部を覆うように配置され、所定の記号または文字の形状の透光性のある部分が設けられ、前記発光部からの光を透過して、所定の記号または文字を表す意匠シートを有し、
前記第１接点は、前記所定の記号または文字と重ならないように配置された、
メンブレンスイッチ。
【発明の詳細な説明】
【技術分野】
【０００１】
本発明は、メンブレンスイッチに関し、特にその接点の構造に関する。
【背景技術】
【０００２】
フラットパネルスイッチの一種であるメンブレンスイッチが知られている。メンブレンスイッチは、基部と、基部と貼り合わせられ、可撓性のあるシートを含み、シートには、一部基部から離れている部分が形成されており、ここと、これに対向する基部上のそれぞれに、互いに対向するように接点が設けられている。この接点が設けられた部分を押圧すると、シートが撓み二つの接点が接触して導通状態となる。
【０００３】
一方、ボタン式のスイッチなどでは、スイッチの表面部に一部透光性を有する部分を設け、内部から照明することが行われている。透光性のある部分を所定の記号や文字としておくことで、周囲が暗い場合でも、スイッチの場所、機能を示すことができる。
【０００４】
メンブレンスイッチの例が下記特許文献１に示されている。
【０００５】
【特許文献１】特開平１１−１８５５６５号公報
【発明の開示】
【発明が解決しようとする課題】
【０００６】
上述のメンブレンスイッチに内部照明を行うようにする場合、表面のシートの接点がシートに形成された記号や文字に影を作り、その文字や記号が所定の形状に表示されない。そこで、例えば、接点が配置されたシートの表面側に導光板を重ねて設け、さらに導光板上に記号や文字が描かれたシートを配置する構成が採られている。この場合、導光板や記号等が描かれたシートも可撓性とする必要があり、スイッチ操作の際は、接点が配置されたシートとこれらの部材を一緒に押圧する。これは、全体として厚いシートを押圧することとなり、操作感を悪くする。
【０００７】
本発明は、簡単な構成で、操作感のよい内部照明機能付きのメンブレンスイッチを提供する。
【課題を解決するための手段】
【０００８】
本発明のメンブレンスイッチは、透光性のある部分としてシートに形成された記号または文字と重ならないように、当該シートに接点を配置している。これにより接点が記号または文字に影を作ることを防止する。また、記号または文字が形成されたシートに隣接して、接点が設けられたシートを配置する場合も、記号または文字と接点が重ならないようにして、影ができることを防止する。
【発明を実施するための最良の形態】
【０００９】
以下、本発明の実施形態を、図面に従って説明する。図１は、本実施形態のメンブレンスイッチ１０の概略を示す分解斜視図である。表面シート１２と裏面シート１４を貼り合わせ、更にこれを導光板１６に貼着している。導光板１６は、透明材料で構成されたシートであり、裏面シート１４は導光板１６と貼着されることにより一体となり、基部１８を構成する。裏面シート１４は、透光性を有する（透明を含む）部材であり、表面シート１２に対向する面には、２本の配線２０が印刷されている。表面シート１２は可撓性を有する部材からなり、一部がドーム状に形成されて、裏面シート１４から離れ、この部分がスイッチ部２２となる。表面シート１２にはまた、スイッチ部２２およびこの周囲に所定の記号や文字を表した透光性を有する部分（以下記号部分と記す）２４が形成されており（図２参照）、これ以外の部分は不透光性となっている。導光板１６で導かれた光は、表面シートの記号部分２４を透過して出射されることにより、この記号部分の形状の、記号または文字を浮き上がらせて表示する。表面シート１２のスイッチ部２２の、裏面シート１４に対向する面には、２個の接点２６が設けられている。この接点２６と配線２０は、井の字状になるように配置されている。スイッチ部２２を押圧すると、接点２６と配線２０が接触し、２本の配線２０が導通する。このように、スイッチ部２２に対向する裏面シート１４上の部分２８（図１で、鎖線で囲まれる範囲）において、配線２０は、接点２６との接点として機能する。
【００１０】
図２および図３は、スイッチ部２２周囲の詳細を示す図である。記号部分２４は、「ＯＦＦ」という文字の形状を形成している。裏面シート１４上に形成された配線２０は、「Ｆ」の横画と重ならないように配置されている。スイッチ部２２においては、表面シート１２は、配線２０より離れているので、導光板１６より射出された光は、拡散して記号部分２４にほとんど影を形成しない。また、操作時においては、配線２０と表面シート１２は接触することになるが、スイッチ部２２を押している指で隠れているので見えず、問題が生じない。配線２０の形状は、この例以外にも採用することができる。特に、表面シート１２と裏面シート１４が貼り合わされている部分、すなわち図２において、スイッチ部２２の外側の部分において、記号部分２４を重ならないように配置することも好ましい。
【００１１】
スイッチ部２２の裏面側に設けられた２本の接点２６は、図示するように細長い形状を有し、２本の配線２０を橋渡しする位置に設けられている。また、記号部分２４を避けて配置されている。図２の例では、「Ｏ」と「Ｆ」の間、二つの「Ｆ」の間に配置されている。したがって、接点２６は、透光性の記号部分２４に影を作らない。接点２６の形状は、記号部分２４と重ならないような形状であれば、他の形状を採ることもできる。
【００１２】
図４は、他の実施形態の概略図であり、前述した構成については、同一符号を付し、その説明を省略する。この実施形態において記号部分２４は、「Ａ／Ｃ」である。接点２６は「／」を挟んで、これに平行に２本配置され、配線２０は、接点２６に直交して「井」の字の形になるように配置される。この実施形態においては、スイッチ部２２の外側で記号部分２４と配線２０が重ならないようになっている。
【００１３】
図５は、さらに他の実施形態を示す図である。前述した構成については、同一符号を付し、その説明を省略する。表面シート３２は、透光性があり、可撓性がある材料であって、ドーム状に形成されたスイッチ部２２を有している。スイッチ部２２の裏面シート側には接点２６が配置されている。表面シート３２の上には、さらに意匠シート３４が配置される。意匠シート３４は図示するようにスイッチ部２２のドーム形状に被さるように形成され、この被さる部分の形状は、ドーム形状でなくてもよい。この実施形態においては、図に示されるように台形となっている。この台形の上辺に相当する面に、前述の実施形態の記号部分２４に相当する透光性のある部分が形成されている。接点２６は、図中上方から見たときに、この記号部分と重ならないように配置されている。
【図面の簡単な説明】
【００１４】
【図１】メンブレンスイッチの概略構成を示す分解斜視図である。
【図２】本実施形態のメンブレンスイッチの要部を示す平面図である。
【図３】本実施形態のメンブレンスイッチの要部を示す断面図である。
【図４】他の実施形態のメンブレンスイッチの要部を示す平面図である。
【図５】さらに他の実施形態のメンブレンスイッチの要部を示す断面図である。
【符号の説明】
【００１５】
１０  メンブレンスイッチ、１２，３２  表面シート、１４  裏面シート、１６  導光板、１８  基部、２０  配線（第２接点）、２２  スイッチ部、２４  記号部分、２６  接点（第１接点）、３４  意匠シート。
【図１】
2006173039.tif 000003
【図２】
2006173039.tif 000004
【図３】
2006173039.tif 000005
【図４】
2006173039.tif 000006
【図５】
2006173039.tif 000007